(57)【要約】      （修正有）【課題】内容物に手を触れることなく食べることができるとともに、内容物を食べ残した場合でも包装性を維持できる食品用包装袋を提供する。【解決手段】第１面部１０と第２面部２０との間に食品収容部３２が形成される。第１面部には、第１方向に沿った線状に易開封部１１が設けられ、第２面部には、易開封部と対向する位置に、易開封部が形成されない非易開封部２１が設けられる。第１面部の易開封部を開封した後に、非易開封部を谷線にして第２面部を折り曲げることにより、易開封部の開口部から食品収容部に収容されていた食品を露出させることができる。また、食品を食べ残した場合には非易開封部を谷線として折り曲げた第２面部を平面に戻すことにより、易開封部の開口部をほぼ閉じた状態とすることができる。【選択図】図１
0003184398.tif 000002
【実用新案登録請求の範囲】
【請求項１】
第１面部と第２面部との間に食品収容部が形成される食品用包装袋であって、
前記第１面部には、第１方向に沿った線状に易開封部が設けられ、
前記第２面部には、前記易開封部と対向する位置に、易開封部が形成されない非易開封部が設けられる食品用包装袋。
【請求項２】
前記易開封部は、ミシン目を有する請求項１記載の食品用包装袋。
【請求項３】
前記ミシン目は、平面視ハ字状に形成される請求項２記載の食品用包装袋。
【請求項４】
前記第１面部には、前記易開封部の位置指標となる指標マークが形成される請求項１から３のいずれか一項に記載の食品用包装袋。
【請求項５】
前記指標マークは、前記易開封部を挟んだ両側にそれぞれ形成される請求項４記載の食品用包装袋。
【請求項６】
前記指標マークは、前記易開封部を含む領域に線状に形成される請求項４または５記載の食品用包装袋。
【請求項７】
前記易開封部の前記第１方向の両端部には、前記第１方向と直交する第２方向に沿って、前記易開封部の一部を含んで前記第１面部と前記第２面部とがシールされたシール部が設けられる請求項１から６のいずれか一項に記載の食品用包装袋。
【請求項８】
前記第２面部に背張り部が設けられる請求項１から７のいずれか一項に記載の食品用包装袋。
【請求項９】
前記易開封部と対向する前記非易開封部を折り曲げたときに前記食品収容部の開口部が形成され、前記非易開封部の折り曲げを解除したときに前記開口部が閉塞される請求項１から８のいずれか一項に記載の食品用包装袋。
【考案の詳細な説明】
【技術分野】
【０００１】
本考案は、食品用包装袋に関するものである。
【背景技術】
【０００２】
ピロー包装袋等において、使用時に包装袋の開封がし易くするための手段として、例えば、シール部にノッチを設ける技術が知られている（例えば、特許文献１参照）。
【先行技術文献】
【特許文献】
【０００３】
【特許文献１】特開２００４−１８２２６７号公報
【考案の概要】
【考案が解決しようとする課題】
【０００４】
しかしながら、上述したような従来技術には、以下のような問題が存在する。
内容物に直接手を触れないで開口部から内容物を食べることができる反面、一旦、包装袋を開封してしまうと、内容物を食べ残した場合に包装袋の開口部から内容物が露出し、包装性が十分とはいえない。
【０００５】
本考案は、以上のような点を考慮してなされたもので、内容物に手を触れることなく食べることができるとともに、内容物を食べ残した場合でも包装性を維持できる食品用包装袋を提供することを目的とする。
【課題を解決するための手段】
【０００６】
本考案の第１の態様に従えば、第１面部と第２面部との間に食品収容部が形成される食品用包装袋であって、前記第１面部には、第１方向に沿った線状に易開封部が設けられ、前記第２面部には、前記易開封部と対向する位置に、易開封部が形成されない非易開封部が設けられる食品用包装袋が提供される。
【０００７】
従って、本態様の食品用包装袋によれば、第１面部の易開封部を開封した後に、非易開封部を谷線にして第２面部を折り曲げることにより、易開封部の開口部から食品収容部に収容されていた食品を露出させることができる。また、本態様の食品用包装袋によれば、食品を食べ残した場合には非易開封部を谷線として折り曲げた第２面部を平面に戻すことにより、易開封部の開口部をほぼ閉じた状態とすることができる。
【０００８】
本考案の第２の態様に従えば、前記易開封部がミシン目を有する食品用包装袋が提供される。また、ミシン目としては、平面視ハ字状に形成される食品用包装袋を好適に採用できる。
【０００９】
これにより、本態様の食品用包装袋では、例えばピロー包装袋として本考案に係る包装袋の製造時に易開封部が開封してしまうことを抑制できる。
【００１０】
また、本考案では、前記第１面部に前記易開封部の位置指標となる指標マークが形成される構成を好適に採用できる。
これにより、本考案では、第１面部における易開封部の位置を容易に視認することが可能となる。指標マークとしては、前記易開封部を挟んだ両側にそれぞれ形成される構成や、前記易開封部を含む領域に線状に形成される構成を好適に採用できる。
【００１１】
また、本考案では、前記易開封部の前記第１方向の両端部には、前記第１方向と直交する第２方向に沿って、前記易開封部の一部を含んで前記第１面部と前記第２面部とがシールされたシール部が設けられる構成を好適に採用できる。
【００１２】
これにより、本考案では、易開封部の開口部をシール部で止めることが容易となり、易開封部の開封時に開口部が第２面部に広がる等の不具合を抑制することが可能となる。
【００１３】
また、本考案では、前記第２面部に背張り部が設けられる構成を好適に採用できる。
これにより、本考案では、易開封部を予め形成したシート状の包装材を折り曲げた後に、周縁部をシールすることにより、連続的にピロー包装袋を製造することが可能となる。
【考案の効果】
【００１４】
本考案では、内容物に手を触れることなく、収容した食品を食べることができるとともに、食品を食べ残した場合でも包装性を維持することができる。
【図面の簡単な説明】
【００１５】
【図１】本考案の実施の形態を示す図であって、（ａ）は、包装袋の平面図、（ｂ）は右側断面図である。
【図２】包装袋の易開封部が開封された図である。
【図３】開口部から食品を露出させた図である。
【図４】食べ残した食品を収容した包装袋の図である。
【図５】表面部を食品に被せて再包装した図である。
【考案を実施するための形態】
【００１６】
以下、本考案の食品用包装袋の実施の形態を、図１乃至図５を参照して説明する。ここでは、食品として、例えば、ドーナッツを包装する場合について説明する。
【００１７】
図１（ａ）は、包装袋（食品用包装袋）１の平面図、図１（ｂ）は右側断面図である。  包装袋１は、基材層と熱接着性樹脂層が積層され、幅方向（第１方向、以下、便宜上単に幅方向と称する）に沿って線状に易開封部１１が形成されたフィルム状の矩形状積層体１Ａを、易開封部１１が表面部（第１面部）１０となるように折り曲げ、矩形状積層体１Ａの対向する端縁を熱接着性樹脂層が当接するように重ね合わせて熱接着して裏面部（第２面部）２０に背張り部２１を形成したものである。
【００１８】
上記易開封部１１は、表面部１０において、裏面部２０に易開封部が形成されていない位置と対向して設けられている。つまり、裏面部２０において易開封部１１と対向する位置は、易開封部が形成されていない非易開封部となっている。
【００１９】
また、包装袋１には、上記の折り曲げ及び背張り部２１の形成により筒状になった袋の開口部（図１（ａ）の左右方向の端部）を熱接着してシールしたシール部３０が、上記幅方向と直交する長さ方向（第２方向、以下、便宜上単に長さ方向と称する）に延在するように、且つ、易開封部１１の両端部を含むようにそれぞれ形成されている。すなわち、包装袋１は、矩形状積層体１Ａを折り曲げることにより形成された対向する２辺（図１（ａ）における上辺及び下辺）、及びシール部３０でシールされた対向する２辺（図１（ａ）における左辺及び右辺）が閉塞され、表面部１０と裏面部２０との間に食品Ｆを収容するための収容部（食品収容部）３２を備えている。
【００２０】
表面部１０に形成された易開封部１１としては、例えば、ミシン目が形成されている。ミシン目としては種々の形態が採用可能であるが、本実施形態では、平面視ハ字状のミシン目が形成されている。つまり、易開封部１１は、ハ字状の切れ目が所定間隔をあけて複数配列されている。また、各切れ目は、ミシン目の延在方向と直交する方向に間隔をあけて配置され、当該間隔はミシン目の延在方向で幅が変化するように形成されている。
【００２１】
また、易開封部１１の長さ方向の略中央部には、易開封部１１を挟んだ両側に指標マーク３１がそれぞれ形成されている。指標マーク３１は、易開封部１１の位置指標、より詳細には、易開封部１１を開封する際に表面部１０を摘む位置の指標となるものであって、易開封部１１からほぼ等距離に、例えば、星形マークで印刷により形成されている。
【００２２】
次に、上記構成の包装袋１の使用方法について説明する。
まず、表面部１０に形成された指標マーク３１を参照して、易開封部１１を挟んだ両側でそれぞれ表面部１０（指標マーク３１）を摘み、互いに離間する方向に引っ張る。これにより、図２に示すように、易開封部１１が開封され開口部が形成される。このとき、易開封部１１は表面部１０のみに形成されていることから、開口部は表面部１０のみに形成される。
【００２３】
また、易開封部１１の両端部がシール部３０でシールされていることから、開封部１１を開封して開口部を形成する際に、勢いで開口部が裏面部２０に広がる等の不具合を起こすことなく、表面部１０のみに開口部を形成することが可能となる。
【００２４】
表面部１０に開口部が形成されると、図３に示すように、開口部で分離した表面部１０の一方側（図３では下側）で、包装袋１を介して食品Ｆを持ちつつ、開口部（易開封部１１）と対向する裏面部２０（非易開封部）を谷線にして裏面部２０を折り曲げることにより、易開封部１の開口部から収容部３２に収容されていた食品Ｆを露出させることができる。
【００２５】
そして、開口部から露出した食品Ｆを食べる場合に、図４に示すように、食品Ｆを食べ残した場合には、図５に示すように、谷線にして折り曲げていた裏面部２０の折り曲げを解除して、開口部で分離した表面部１０の他方側（図３、５では上側）で食品Ｆを被せつつ、裏面部２０を平面状態に戻すことにより、開口部が閉塞され、再度、収容部３２に収容された状態で包装される。
【００２６】
以上のように、本実施形態では、表面部１０のみに易開封部１１を設け、易開封部１１と対向する裏面部２０を非易開封部としたため、易開封部１１の開口部に関して、非易開封部を折り線として裏面部２０を折り曲げることにより、食品Ｆを露出させる位置と、食品Ｆを覆って包装する位置とを容易に切り替えることが可能となる。そのため、本実施形態の包装袋では、手を触れることなく食品Ｆを食べることができるとともに、食品Ｆを食べ残した場合でも包装性を維持することが可能となる。
【００２７】
また、本実施形態では、易開封部１１を形成するミシン目をハ字状としているため、人手による易開封性を維持しつつ、例えば、ピロー包装袋として連続的に製造する際の張力でミシン目が開封してしまうことを抑制することができる。
【００２８】
さらに、本実施形態では、表面部１０に易開封部１１を開封する際の指標となる指標マーク３１を形成しているため、包装袋１が透明材で形成されていて易開封部１１が視認しづらい場合でも、開封に適した摘む位置を容易に把握することが可能になる。
【００２９】
以上、添付図面を参照しながら本考案に係る好適な実施形態について説明したが、本考案は係る例に限定されないことは言うまでもない。上述した例において示した各構成部材の諸形状や組み合わせ等は一例であって、本考案の主旨から逸脱しない範囲において設計要求等に基づき種々変更可能である。
【００３０】
例えば、上記実施形態では、本考案に係る包装袋１をピロー包装袋として背張り部２１が設けられる構成としたが、これに限定されるものではなく、背張り部２１が設けられない包装袋であっても本考案を適用可能である。
【００３１】
また、本実施形態では、表面部１０における摘む位置に指標マークを設ける構成としたが、これに限定されるものではなく、例えば、易開封部１１を含む領域に線状のマークを印刷する構成等であってもよい。
【００３２】
また、上記実施形態で説明及び図示した食品Ｆは一例であり、他の食品についても適用可能である。
【符号の説明】
【００３３】
１…包装袋（食品用包装袋）、１０…表面部（第１面部）、  １１…易開封部（ミシン目）、  ２０…裏面部（第２面部）、  ３０…シール部、  ３１…指標マーク、  ３２収容部（食品収容部）
【図１】
0003184398.tif 000003
【図２】
0003184398.tif 000004
【図３】
0003184398.tif 000005
【図４】
0003184398.tif 000006
【図５】
0003184398.tif 000007